(57)【要約】  本発明は、端末装置ユーザに自発的コンテンツを配信するためのパラメータセットを管理するための方法に関し：ユーザに少なくとも１つのコンテンツを配信するステップと、ユーザが、ユーザの端末装置上で、その配信されたコンテンツに肯定的な反応を生じるか、否定的な反応を生じるかを検出するステップと、自発的コンテンツを配信するためのパラメータセットの中に、そのパラメータセットを適応させるために、そのユーザの反応を表す少なくとも１つのパラメータ、およびその配信されたコンテンツに関連付けられた少なくとも１つのコンテキストパラメータを格納するステップと、その適応させられたパラメータセットから選択された少なくとも１つの自発的コンテンツを配信するために端末装置を介して計画を確立して、その選択されたコンテンツを配信するための適切な時点を決定するようにするステップとを含む。また、本発明は、自発的コンテンツを配信するための方法、ネットワーク上で自発的コンテンツを送信するための方法、ならびにそのような方法を実施するために自発的コンテンツを供給することができる端末装置および遠隔システムにも関する。
2011523274.tif 000002
【特許請求の範囲】
【請求項１】
端末装置ユーザに自発的コンテンツを配信するためのパラメータセットを管理するための方法であって、
ユーザに少なくとも１つのコンテンツを配信するステップと、
ユーザが、ユーザの端末装置上で、前記配信されたコンテンツに肯定的な反応を生じるか、否定的な反応を生じるかを検出するステップと、
自発的コンテンツを配信するためのパラメータセットの中に、前記パラメータセットを適応させるために、前記ユーザの反応を表す少なくとも１つのパラメータ、および前記配信されたコンテンツに関連付けられた少なくとも１つのコンテキストパラメータを格納するステップと、
前記適応させられたパラメータセットから選択された少なくとも１つの自発的コンテンツを配信するために端末装置を介して計画を確立して、前記選択されたコンテンツを配信するための適切な時点を決定するようにするステップとを含む、方法。
【請求項２】
ユーザの反応に関する少なくとも１つの定量的な情報が生成されて、ユーザに関する活動レポートを確立するようにするステップ（３１）を含む、請求項１に記載の方法。
【請求項３】
端末装置によって実施される、端末装置のユーザに自発的コンテンツを配信するための方法であって、
自発的コンテンツを配信すべき時点が識別されるステップと、
利用可能な自発的コンテンツが、配信されたコンテンツに関するユーザ側の反応を表す少なくとも１つのパラメータと、前記配信されたコンテンツに関連付けられた少なくとも１つのコンテキストパラメータとを備えるパラメータセットに基づいて選択されるステップと、
前記選択されたコンテンツが、識別された時点で配信されるステップとを含む、方法。
【請求項４】
自発的コンテンツを配信すべき時点の識別に関する情報が送信されて、配信されるべき自発的コンテンツを受信するようにするステップを含む、請求項３に記載の方法。
【請求項５】
少なくとも１つの自発的コンテンツを配信するスケジュールに基づいて、自発的コンテンツを配信すべき時点が識別され、さらに前記時点の識別に関する情報が、識別された時点より前に送信される、請求項３および４に記載の方法。
【請求項６】
端末装置の電源投入が、自発的コンテンツを配信すべき少なくとも１つの時点を識別するために監視される、請求項３または４のいずれか一項に記載の方法。
【請求項７】
端末装置の遠隔通信活動が、自発的コンテンツを配信する少なくとも１つの時点を識別するために監視される、請求項３または４のいずれか一項に記載の方法。
【請求項８】
ネットワーク（１）を介して自発的コンテンツを送信するための方法であって、
好ましくは、自発的コンテンツを配信すべき時点の識別に関する情報が受信され、前記情報が、識別された時点より前に送信されるステップと、
自発的コンテンツを配信するためのパラメータセットの中の少なくとも１つのパラメータが受信されるステップと、
自発的コンテンツが、前記受信されたパラメータに基づいて選択されるステップと、
選択された自発的コンテンツが送信されるステップとを含む、方法。
【請求項９】
少なくとも１つのコンテンツを配信すること、
ユーザが、ユーザの端末装置上で、配信されたコンテンツに好意的な反応を生じるか、好意的ではない反応を生じるかを検出すること、
自発的コンテンツを配信するためのパラメータセットの中に、前記パラメータセットを適応させるために、ユーザ側の前記反応を表す少なくとも１つのパラメータ、および前記配信されたコンテンツに関連付けられた少なくとも１つのコンテキストパラメータを記憶すること、
前記適応させられたパラメータセットに基づいて選択された少なくとも１つの自発的コンテンツを配信するスケジュールを定義して、前記選択されたコンテンツを配信する少なくとも１つの適切な時点を決定するようにすることのための少なくとも１つの処理手段を備える、通信端末装置。
【請求項１０】
自発的コンテンツを配信すべき時点を識別すること、
配信されたコンテンツに関するユーザ側の反応を表す少なくとも１つのパラメータと、前記配信されたコンテンツに関連付けられた少なくとも１つのコンテキストパラメータとを備えるパラメータセットに基づいて選択される、利用可能な自発的コンテンツを選択すること、および
前記選択されたコンテンツを、識別された時点で配信することのための１つの処理手段を備える、ネットワークの通信端末装置。
【請求項１１】
自発的コンテンツを配信すべき時点の識別に関する受信情報が受信され、前記情報が、識別された時点より前に送信されること、
自発的コンテンツを配信するためのパラメータセットの中の少なくとも１つのパラメータを受信すること、
前記受信されたパラメータに基づいて自発的コンテンツを選択すること、および
選択された自発的コンテンツを、ネットワークを介して送信することのための少なくとも１つの処理手段を備える、自発的コンテンツを配信するのに適した遠隔システム。
【発明の詳細な説明】
【技術分野】
【０００１】
本発明は、自発的コンテンツを配信するためのパラメータセットを管理するための方法に関する。
【０００２】
本発明はさらに、自発的コンテンツを配信するための方法に関する。
【０００３】
また、本発明は、自発的コンテンツネットワークを介して送信するため、またはブロードキャストするための方法にも関する。
【０００４】
さらに、本発明は、そのような方法を実施するために自発的コンテンツを配信するのに適した端末装置および遠隔システムにも関する。
【背景技術】
【０００５】
「ネットワーク」は、そのネットワークに結合された端末装置に、有線または無線で、コンテンツを送信することができ、さらにそれらの端末装置を相手にデータまたはメッセージを交換することができる任意のタイプの固定ネットワークまたは移動体ネットワーク（例えば、ＧＳＭ、ＧＰＲＳ、ＵＭＴＳ、またはＷＬＡＮの、あるいはインターネットの、またはケーブルネットワークの）を意味するものとする。
【０００６】
任意のコンテンツ送信モードが、特に、ピアツーピア（つまり、「ユニキャスト」）モード、ポイントツーマルチポイント（つまり、「マルチキャスト」）モード、またはブロードキャストモードが考慮されることが可能である。
【０００７】
さらに、この事例において、「端末装置」は、前述したタイプのネットワークからコンテンツを受信することができ、さらにそのネットワークを相手にデータ、メッセージ、および要求を交換することができる任意のタイプの機器を意味するものとする。
【０００８】
端末装置は、例えば、地上線電話機もしくは移動電話機、携帯情報端末（つまりＰＤＡ）、暗号化されたビデオ番組もしくはテレビ番組のデコーダ、セットトップテレビ番組受信デバイス、ビデオ番組もしくは音楽番組の受信デバイス、デスクトップコンピュータもしくはポータブルコンピュータ、または車両（自動車、トラック、バス、列車、またはその他）搭載デバイスであることが可能である。
【０００９】
さらに、この事例において、「自発的コンテンツ」は、ブロードキャストが必ずしも端末装置ユーザによる要求の結果ではない、ビデオ番組、またはオーディオ番組（ラジオ放送または音楽）もしくはマルチメディア番組を、あるいは代替として、電子データファイルを定義するデータのセットを意味するものとする。
【００１０】
そのような自発的コンテンツは独立に、または別のコンテンツと一緒にまとめて、あるいはアプリケーションに関連して配信されることが可能である。
【００１１】
例えば、テレビ、ラジオ、または新聞もしくは雑誌などの従来の通信手段を使用する自発的コンテンツ送信システムが、知られている。
【００１２】
やはり知られているのが、ファックス、あるいは移動電話機におけるＳＭＳ［「ショートメッセージサービス」を表す］技術などの通信手段を有するコンテンツ送信システムである。
【００１３】
しかし、自発的コンテンツは、ユーザによって表明される必要性に応えることなしにランダムな方式でユーザに送信され、タイミングにかかわらず、このことを行う。
【００１４】
さらに、多数のユーザに到達するように、自発的コンテンツプロバイダは、使用されるコンテンツフォーマットと情報そのものの両方の点で、最大ユーザサブセットに合うものと考えられるコンテンツを送信する。
【００１５】
実際、ユーザは、受信されるべき自発的コンテンツに関して選好を示す意見を必ずしも有さない。
【００１６】
その上、自発的コンテンツは、ユーザの事前の同意なしにユーザに送信される可能性がある。
【００１７】
したがって、ユーザは、送信された自発的コンテンツに対して受容的でなく、自発的コンテンツのそのような送信の効率が低下する可能性がある。
【発明の概要】
【発明が解決しようとする課題】
【００１８】
したがって、本発明の目的は、好適な時点で、ユーザにコンテンツを提示することを可能にすることによって、知られている自発的コンテンツサービスを向上させることであり、そのコンテンツは、各ユーザに合わせて個人化され、適応させられる。
【課題を解決するための手段】
【００１９】
この目的で、本発明は、目的として、端末装置ユーザに自発的コンテンツを配信するためのパラメータセットを管理するための方法であって：
−  ユーザに少なくとも１つのコンテンツを配信するステップと、
−  ユーザが、ユーザの端末装置上で、その配信されたコンテンツに肯定的な反応を生じるか、否定的な反応を生じるかを検出するステップと、
−  自発的コンテンツを配信するためのパラメータセットの中に、そのパラメータセットを適応させるために、そのユーザの反応を表す少なくとも１つのパラメータ、およびその配信されたコンテンツに関連付けられた少なくとも１つのコンテキストパラメータを格納するステップと、
−  その適応させられたパラメータセットから選択された少なくとも１つの自発的コンテンツを配信するために端末装置を介して計画を確立して、その選択されたコンテンツを配信するための適切な時点を決定するようにするステップを含む。
【００２０】
有利には、この方法は、ユーザの反応に関する少なくとも１つの定量的な情報が生成されて、ユーザに関する活動レポートを確立するようにするステップを含む。
【００２１】
また、本発明は、端末装置によって実施され、端末装置のユーザに自発的コンテンツを配信するための方法にも関し：
−  自発的コンテンツを配信すべき時点が識別されるステップと、
−  利用可能な自発的コンテンツが、配信されたコンテンツに関するユーザ側の反応を表す少なくとも１つのパラメータと、その配信されたコンテンツに関連付けられた少なくとも１つのコンテキストパラメータとを備えるパラメータセットに基づいて選択されるステップ、および
−  その選択されたコンテンツが、識別された時点で配信されるステップを含む。
【００２２】
好ましくは、この方法は、自発的コンテンツを配信すべき時点の識別に関する情報が送信されて、配信されるべき自発的コンテンツを受信するようにするステップを含む。
【００２３】
好ましい実施形態において、少なくとも１つの自発的コンテンツを配信するスケジュールに基づいて、自発的コンテンツを配信すべき時点が識別され、さらにこの時点の識別に関する情報が、識別された時点より前に送信される。
【００２４】
有利な変形において、端末装置の電源投入が、自発的コンテンツを配信すべき少なくとも１つの時点を識別するために監視される。
【００２５】
代替として、端末装置の遠隔通信活動が、自発的コンテンツを配信する少なくとも１つの時点を識別するために監視される。
【００２６】
本発明は、ネットワークを介して自発的コンテンツを送信するための方法にさらに関し：
−  好ましくは、自発的コンテンツを配信すべき時点の識別に関する情報が受信され、この情報が、識別された時点より前に送信されるステップと、
−  自発的コンテンツを配信するためのパラメータセットの中の少なくとも１つのパラメータが受信されるステップと、
−  自発的コンテンツが、その受信されたパラメータに基づいて選択されること、および
−  選択された自発的コンテンツが送信されるステップを含む。
【００２７】
また、本発明は、以下のための少なくとも１つの処理手段を備える通信端末装置にも関する：
−  少なくとも１つのコンテンツを配信すること、
−  ユーザが、ユーザの端末装置上で、その配信されたコンテンツに好意的な反応を生じるか、好意的ではない反応を生じるかを検出すること、
−  自発的コンテンツを配信するためのパラメータセットの中に、そのパラメータセットを適応させるために、そのユーザ側のその反応を表す少なくとも１つのパラメータ、およびその配信されたコンテンツに関連付けられた少なくとも１つのコンテキストパラメータを記憶すること、
−  その適応させられたパラメータセットに基づいて選択された少なくとも１つの自発的コンテンツを配信するスケジュールを定義して、その選択されたコンテンツを配信する少なくとも１つの適切な時点を決定するようにすること。
【００２８】
また、本発明は、以下のための少なくとも１つの処理手段を備えるネットワークの通信端末装置にも関する：
−  自発的コンテンツを配信すべき時点を識別すること、
−  配信されたコンテンツに関するユーザ側の反応を表す少なくとも１つのパラメータと、その配信されたコンテンツに関連付けられた少なくとも１つのコンテキストパラメータとを備えるパラメータセットに基づいて選択される、利用可能な自発的コンテンツを選択すること、および
−  その選択されたコンテンツを、識別された時点で配信すること。
【００２９】
さらに、本発明は、以下のための少なくとも１つの処理手段を備える、自発的コンテンツを配信するのに適した遠隔システムにも関する：
−  自発的コンテンツを配信すべき時点の識別に関する受信情報が受信され、この情報が、識別された時点より前に送信されること、
−  自発的コンテンツを配信するためのパラメータセットの中の少なくとも１つのパラメータを受信すること、
−  その受信されたパラメータに基づいて自発的コンテンツを選択すること、および
−  選択された自発的コンテンツを、ネットワークを介して送信すること。
【００３０】
本発明の他の特徴および利点は、添付の図面に鑑みて、例として、限定としてではなく与えられる、以下の説明を検討することで明白となろう。
【図面の簡単な説明】
【００３１】
【図１】本発明による自発的コンテンツを配信するためのパラメータセットを管理するための方法、本発明による自発的コンテンツを配信するための方法、および本発明によるネットワーク上で自発的コンテンツを送信するための方法を実施することに関する一般的なコンテキストを概略で示す図である。
【図２ａ】本発明による自発的コンテンツを配信するためのパラメータセットを管理するための方法の順次ステップを示す図である。
【図２ｂ】本発明による自発的コンテンツを配信するための方法の順次ステップを示す図である。
【図３】本発明によるネットワークを介して自発的コンテンツを送信するための方法の順次ステップを示す図である。
【図４】そのような方法を実施するためのサンプル実施形態を示す図である。
【発明を実施するための形態】
【００３２】
以下の説明において、参照符号１から２１は、自発的コンテンツを配信するパラメータセットを管理するための方法、自発的コンテンツを配信するための方法、および自発的コンテンツを供給するための方法を実施するために、自発的コンテンツを配信することに適した端末装置および遠隔システムと関係する一方で、参照符号２３から５５は、これらの様々な方法のステップを指す。
【００３３】
本発明の一般的なコンテキストを示すために、図１は、固定遠隔通信ネットワーク１または移動体遠隔通信ネットワーク１（例えば、ＧＳＭタイプ、ＧＰＲＳタイプ、ＵＭＴＳタイプ、またはＷＬＡＮタイプの、あるいはインターネットの、またはケーブルネットワークの）を表す。
【００３４】
ネットワーク１は、そのネットワークに結合された端末装置に、有線または無線で、コンテンツを送信することができ、さらにそれらの端末装置を相手にデータまたはメッセージを交換することができる任意のタイプのネットワークであることが可能である。
【００３５】
任意のコンテンツ送信モードが、特に、ピアツーピア（つまり、「ユニキャスト」）モード、ポイントツーマルチポイント（つまり、「マルチキャスト」）モード、またはブロードキャストモードが考慮されることが可能である。
【００３６】
自発的コンテンツを供給することができる遠隔システム３がネットワーク１にリンクされ、例えば、送信された自発的コンテンツを受信して、例えば、スクリーン上で表示することができる端末装置５にアドレス指定されたフローの形態で、ネットワーク１を介して自発的コンテンツを送信する。
【００３７】
ネットワーク１を介して送信される自発的コンテンツは、ブロードキャストが必ずしも端末装置５のユーザによる要求の結果ではない、ビデオ番組、またはオーディオ番組（ラジオ放送または音楽）もしくはマルチメディア番組、あるいは代替として、電子データファイルであることが可能である。
【００３８】
自発的コンテンツは、例えば、広告コンテンツ、あるいは情報コンテンツである。
【００３９】
そのような自発的コンテンツは独立に、または別のコンテンツと一緒にまとめて、あるいはアプリケーションに関連して配信されることが可能である。
【００４０】
端末装置５は、例えば、固定電話機もしくは移動電話機、携帯情報端末（つまりＰＤＡ）、オーディオ番組もしくはビデオ番組を受信するための機器、または固定ＰＣもしくはラップトップＰＣ、あるいは車両（自動車、トラック、バス、列車、および類似物）に組み込まれた機器であることさえ可能である。
【００４１】
一般的に言って、端末装置５は、ユーザの個人用である、またはユーザのセットの中でユーザを識別することができる任意のタイプの端末装置であることが可能である。
【００４２】
端末装置５は、いずれにしても、ネットワーク１を相手に、特に、システム３を相手にデータ、メッセージ、および要求を交換することができる。
【００４３】
その一般的なコンテキスト内で、ユーザに提示される自発的コンテンツの適切さを向上させることに鑑みて、以下が提案される：
−  ユーザに常に最もよく対応するように、さらにユーザに自発的コンテンツを配信する好適な時点を予期するような方法で、ユーザによって構成されたパラメータを、発見されたパラメータで補完する役割をすべき、自発的コンテンツを配信するためのパラメータセットを管理するための方法、
−  自発的コンテンツを配信するためのパラメータセットを利用して、配信されるべきコンテンツを決定すること、および配信の時点を検出することを可能にする、自発的コンテンツを配信するための方法、および
−  ユーザに合わせてカスタマイズされ、適応させられた、配信されるべき自発的コンテンツを端末装置に供給することを可能にして、端末装置が、そのような自発的コンテンツを記録し、好都合な時点でそれらのコンテンツを提供することができるようにする、ネットワークを介して自発的コンテンツを送信するための方法。
【００４４】
最初に、本発明による手順を説明し、次に、それらの手順の実施を可能にする手段を説明する。
【００４５】
自発的コンテンツを配信するためのパラメータセットを管理するための方法：
図１ａに関連して、本発明による自発的コンテンツを配信するためのパラメータセットを管理するための方法を、次に説明する。
【００４６】
自発的コンテンツを配信するためのパラメータセットは、以下を備えることが可能である：
−  ユーザの習慣、日程、または活動などの、ユーザに関する個人情報、または
−  消費区域、製品カテゴリ、またはブランドに関するユーザの選好などの、配信されるべき自発的コンテンツに関する定性的情報、または
−  配信されるべき自発的コンテンツに関する定量的情報、あるいは
−  自発的コンテンツを配信するのに好適な時点を定義する時間的情報。
【００４７】
さらに、自発的コンテンツを配信するためのそのようなパラメータは、ユーザに提示される自発的コンテンツが、端末装置５の技術的特性を十分に活用するように、端末装置５の技術的特性に関する情報で豊かにされることが可能である。
【００４８】
「技術的特性」は、スクリーン、スクリーンのサイズ、スクリーンの解像度または色の数、あるいはスピーカなどのハードウェア特性だけでなく、アプリケーション、またはオペレーティングシステムなどのソフトウェア特性も意味するものとする。
【００４９】
実際、これらの技術的なハードウェア特性またはソフトウェア特性の一部は、端末装置５が、すべての端末装置とは互換性のない可能性がある特定のフォーマットで自発的コンテンツを受信できるようにすることが可能である。
【００５０】
その結果、自発的コンテンツのフォーマットは、もはや限定されず、すべての端末装置に共通ではなく、例えば、自発的コンテンツのサイズを調整すること、および端末装置が利用することができるフォーマットを選択することによって、各端末装置に適応させられる。
【００５１】
自発的コンテンツを配信するための、これらのパラメータセットは、好ましくは、ユーザによって構成される、またはインポートさえされることになり、さらにユーザに配信されるべき自発的コンテンツの対象をよりよく絞ることができるように適応させられることが可能である。
【００５２】
この目的で、この説明の後段で見られるとおり、ユーザに提案されるコンテンツに関するユーザの反応が考慮に入れられる。提案されるコンテンツは、オーディオビジュアルコンテンツ、例えば、テレビ番組もしくはラジオ番組、またはゲームでさえあることが可能である。
【００５３】
さらに、自発的コンテンツを配信するための、このパラメータセットは、長期間にわたって保存されるようにＲＯＭを備える記憶手段の中に記録される。
【００５４】
第１のステップ２３で、少なくとも１つのコンテンツが、そのようなコンテンツに関するユーザの反応を調べるために端末装置５のユーザに配信される。
【００５５】
この目的で、ユーザが、ユーザの端末装置上で、配信されたコンテンツに好意的な反応を生じるか、そうではないかについての検出が、ステップ２５で実行される。
【００５６】
次に、ユーザの反応が、ステップ２７で表示するパラメータに翻訳される。
【００５７】
好意的な反応は、配信されたコンテンツに関するユーザの関心を翻訳する反応と考えられる。
【００５８】
そのような好意的な反応は、例えば、配信されたコンテンツを表示する許可であることが可能である。
【００５９】
さらに、好意的でない反応は、反応がないこと、あるいはユーザ側の意図的な行為による、配信されたコンテンツの表示を禁止する、または削除する反応とみなされる。
【００６０】
有利には、ユーザの反応に加えて、例えば、ユーザ側の新たな関心を特定する、少なくとも１つのコンテキストパラメータが、配信されたコンテンツに関連付けられる。
【００６１】
これらのコンテキストパラメータは、配信されたコンテンツの説明に関する情報、配信されたコンテンツの分類に関するデータ、端末装置５の地理的位置、あるいはコンテンツが配信された季節、曜日、または時刻などの少なくとも１つの時間的情報さえ備えることが可能である。
【００６２】
次に、好意的である、または好意的ではないユーザの反応を表す、これらのパラメータ、およびコンテキストパラメータが、自発的コンタクトを配信するパラメータセットの中に記録されて、見出されたユーザの関心にこのパラメータセットを適応させるようにする。このため、自発的コンテンツを配信するためのパラメータセットは、時とともにユーザに合わせて常に適応させられ、カスタマイズされるように規則的に進化する。
【００６３】
実際、ユーザの関心は、例えば、冬の初めから春の終わりまでの間に変化するだけでなく、ユーザの活動に応じても変化すると想像され得る。
【００６４】
ユーザによって構成されるか、前述したとおり適応させられるかにかかわらず、自発的コンテンツを配信するための、そのパラメータセットによって、ステップ２９で、少なくとも１つの選択された自発的コンテンツを配信するスケジュールが、確立される。
【００６５】
変形として、このスケジュールは、例えば、１日にわたって、ネットワーク上の交換、および無線リソースの利用を観察することに基づいて確立されることを規定することが可能である。
【００６６】
このため、このスケジュールは、ユーザに自発的コンテンツを配信するための好都合な時点を決定することを可能にする。
【００６７】
そのようなスケジューリングは、端末装置内部で行われ、このことは、ユーザの私生活をより尊重することを可能にする。さらに、ユーザは、ユーザに配信されるコンテンツに対する或る程度のコントロールを保持するように、そのようなスケジューリングのパラメータを構成することができる。
【００６８】
ユーザに配信されるコンテンツに関するユーザの好意的な反応に関する少なくとも１つの定量的情報が生成されるステップ３１を規定することが、有利であることが分かっている。
【００６９】
この情報は、例えば、ユーザが、ユーザにコンテンツが配信されることを承認した回数であることが可能であり、このことは、ユーザに配信され、ユーザの興味を引き起こしたコンテンツの数を知ることを可能にする。
【００７０】
そのような定量的情報は、例えば、所定の時間間隔に基づいて、端末装置５の活動レポートの形態に総合されることが可能である。
【００７１】
次に、端末装置５の活動レポートは、例えば、定期的に、システム３に送信される。
【００７２】
この活動レポートは、ユーザの反応、およびコンテンツの実際の提示を報告することを可能にし、このことは、コンテンツプロバイダに料金請求することを可能にする。
【００７３】
したがって、この種の方法を使用して、自発的コンテンツを配信するための管理パラメータセットは、ユーザに常に最もよく対応するように、進化する方式で適応させられることが理解されよう。
【００７４】
このため、そのパラメータセットのパラメータは、ユーザに合わせて個人化され、適応させられて、好適な時点で配信されるべき自発的コンテンツを選択する基準の役割をすることが可能である。
【００７５】
もちろん、自発的コンテンツを配信するパラメータセットを管理するための、この方法のステップを実施する順序は、いくつかのステップに関して、本発明の趣旨の目的を逸脱することなく／そのような目的に反することなく／そのような目的を無効にすることなく、逆にされ得ることが容易に理解されよう。
【００７６】
自発的コンテンツを配信するための方法
自発的コンテンツを配信するためのパラメータセットを管理するための方法は、必要な前置きであり、次に、この説明は、図１ｂを参照して、前述した自発的コンテンツを配信するためのパラメータセットの動的適応を十分に活用する、本発明による自発的コンテンツを配信するための方法を説明する。
【００７７】
ユーザの端末装置によって実施されるこの方法は、ユーザに合わせて個人化され、適応させられた自発的コンテンツを配信することを可能にし、さらにこのことを、ユーザの注意を引くのに適した時点で行い、配信される自発的コンテンツの効果を高める。
【００７８】
この目的で、この種の方法を実施するために、例えば、前述した自発的コンテンツを配信するためのパラメータセットを管理するための方法に従って、ユーザによって構成された、インポートされた、または適応させられた自発的コンテンツを配信するパラメータセットの任意のパラメータへのアクセスが、利用可能である。
【００７９】
第１のステップ３５で、自発的コンテンツを配信すべき時点が識別される。
【００８０】
そのようにするのに、有利には、前述とおり規定された、少なくとも１つの自発的コンテンツを配信するスケジュールが分析される。
【００８１】
その場合、このスケジュールに基づいて好都合な時点が予期される際、システム３に向けられた自発的コンテンツを配信すべき時点の識別に関する情報が、識別された時点より前に送信されるステップが、規定されることが可能である。そのような情報は、スロット利用可能性イベントの形態で送信されることが可能である。
【００８２】
有利には、ユーザに自発的コンテンツを選択して、送信するように、自発的コンテンツを配信するためのパラメータセットの中の有用なパラメータが、システム３に送信される。
【００８３】
その後、システム３によって送信された自発的コンテンツが受信され、次に、受信された自発的コンテンツが、予期される好都合な時点でそのようなコンテンツを迅速に提供することができるように、例えば、端末装置５の記憶手段１９の中に記録される。
【００８４】
変形として、自発的コンテンツを配信すべき時点を識別するために、端末装置５のソフトウェア活動またはハードウェア活動が監視される。
【００８５】
例えば、端末装置５の電源投入を監視することが可能である。その場合、自発的コンテンツを配信するための時点を識別することは、有利には、事前定義された期間中、好ましくは、休息期間にわたって、例えば、夜間に、ユーザの睡眠中にユーザの邪魔をしないように阻止される。
【００８６】
別の実施形態によれば、端末装置５の遠隔通信活動が、自発的コンテンツを配信すべき時点を識別するために監視される。
【００８７】
好ましくは、そのような遠隔通信活動は、着信呼または発信呼、確立されたピアツーピア通信セッション、あるいはさらに言えばこのタイプの呼または通信セッションの始まりおよび／または終わりを検出することを可能にするアップリンク伝送活動またはダウンリンク伝送活動である。
【００８８】
前段で提示される方法の１つに従って自発的コンテンツを配信するように識別された時点に、ステップ３７で、利用可能な自発的コンテンツが選択される。
【００８９】
この目的で、ユーザに合わせて適応させられた、個人化されたコンテンツを選択するために適切である自発的コンテンツを配信するためのパラメータセットの中の任意の有用なパラメータが、考慮に入れられる。
【００９０】
代替として、端末装置５の利用データを考慮に入れることも可能である。実際、着信呼または発信呼が行われる際、自発的コンテンツは、特定のフォーマットで選択されなければならない。
【００９１】
次に、ステップ４１で、選択されたコンテンツが、識別された時点で配信される。
【００９２】
第１の実施形態によれば、例えば、自発的コンテンツを配信するための好都合な時点の予測に加えて、したがって、システム３によって送信される自発的コンテンツの事前の受信に加えて、端末装置５において記憶手段１９の中に記録されたコンテンツの中から、利用可能な自発的コンテンツが選択される。
【００９３】
第２の実施形態によれば、記録された自発的コンテンツが存在しない場合、自発的コンテンツを配信すべき時点の識別に関する情報が、システム３に送信され、これは、ステップ３６である。そのような情報は、スロット利用可能性イベントの形態で送信されることが可能である。
【００９４】
また、ユーザに適応させられた自発的コンテンツを選択するように、システム３に自発的コンテンツを配信するためのパラメータセットの中の１つまたはいくつかのパラメータを送信するための規定が、行われることも可能である。
【００９５】
ステップ３８で、システム３が：
−  自発的コンテンツを配信すべき時点の識別に関する情報、ならびに自発的コンテンツを選択するのに適した、自発的コンテンツを配信するためのパラメータセットの中の少なくとも１つのパラメータを受信し、
−  受信されたパラメータに基づいて、ユーザに提示されるべき自発的コンテンツを選択し、さらに
−  選択されたコンテンツを端末装置５に送信する。
【００９６】
このステップ３８に続いて、その自発的コンテンツが受信され、ステップ４１で受信された利用可能な自発的コンテンツが提供される。
【００９７】
このため、自発的コンテンツは、適切な時点でユーザに合わせて個人化されて、配信されて、配信されたコンテンツがユーザの関心を引く可能性が高いようになる。
【００９８】
さらに、ユーザに配信される自発的コンテンツにユーザが関心を持った場合に迅速な反応をもたらすために、ユーザ側の対話が、配信された自発的コンテンツを介して検出され、次に、ユーザの対話に関する情報がシステム３に送信され、これは、ステップ４３である。
【００９９】
すると、システム３が、適切なサービスを提供するために、その情報を受信して、分析する。
【０１００】
そのような対話は、例えば、提案される選択肢の番号に数字が対応する端末装置５のキーボード上のキーの活性化であることが可能であり、あるいはさらに言えば配信されたコンテンツが表示された際のコンテンツの活性の要素の選択であることが可能である。
【０１０１】
このため、ユーザが、配信された自発的コンテンツに関連してさらなるデータを受信することを可能にする、例えば、「さらなる情報」と表示された活性のキーを選択することができ、あるいはユーザが、例えば、電子メールによって、または電話呼を介して、自発的コンテンツの広告主を相手に通信を確立することを可能にする活性のキーを選択することができることを想像することが可能である。以下の例では、ユーザが、「さらなる情報」と表示されたキーを選択するとみなされる。
【０１０２】
その場合、送信される情報は、配信された自発的コンテンツと関係し、さらに「さらなる情報」キーの選択に関連する少なくとも１つの追加のデータ項目の送信を求める要求であることが可能である。
【０１０３】
この送信される情報のお陰で、システム３は、少なくとも１つの補足的なデータ項目を選択し、次に、そのような追加のデータ項目を端末装置５に送信する。
【０１０４】
そのような補足的なデータ項目は、イメージ、文字、ウェブサイトへのリンク、あるいは、例えば、ストリーミング技術を使用することにより、マルチメディアコンテンツさえ備えるリストから選択されることが可能である。
【０１０５】
着信データの受信をユーザが制御することができるようにするために、着信する補足的なデータ項目が端末装置５において検出され、これは、ステップ４５である。
【０１０６】
次に、ステップ４７で、そのような着信する補足的なデータ項目の受信をユーザが承認する、または拒否することを可能にするようにユーザに知らせることが可能である。
【０１０７】
受信が承認されると、ステップ４９で、その補足的なデータ項目が配信される。
【０１０８】
このため、ユーザに配信された自発的コンテンツとユーザが対話するたびに、この種の方法は、ユーザの期待に応えるようにコンテンツを順次に送信することを可能にする。
【０１０９】
また、この種の方法を使用して、ユーザに配信されるべき自発的コンテンツは、そのユーザに適切であるように選択され、さらに端末装置５のユーザとシステム３との間の対話は、ユーザに提案されるコンテンツおよびデータに対して、ユーザが或る程度のコントロールを有することを可能にするような方法で、端末装置５において管理されることも理解されよう。
【０１１０】
もちろん、自発的コンテンツを配信するための、この方法のいくつかのステップを実施する順序は、本発明の趣旨の目的に反することなく、逆にされることも可能であることが容易に理解されよう。
【０１１１】
ネットワークを介して自発的コンテンツを送信するための方法
前述した方法に従って自発的コンテンツを提供することができるようにするため、そのようなコンテンツが、例えば、端末装置５において利用可能でなければならない。
【０１１２】
端末装置５が、ユーザに適応させられた、個人化された自発的コンテンツを常に十分に供給されているようにするため、以降、本発明によるネットワーク１を介して自発的コンテンツを送信するための方法が、図３を参照して提案される。
【０１１３】
この種の方法は、そのユーザに、個人化され、適応させられた自発的コンテンツを送信することができるようにするために、システム３が、所与のユーザと関係するパラメータを定期的に更新することを可能にする。
【０１１４】
この目的で、ステップ５１で、例えば、スロット利用可能性イベントの形態で、端末装置５によって送信された、自発的コンテンツを配信すべき時点の識別に関する情報が受信される。好ましくは、そのような情報は、識別された時点より前に送信される。
【０１１５】
さらに、そのような情報には、端末装置５の所与のユーザに適応させられた自発的コンテンツを選択するのに適した自発的コンテンツを配信するためのパラメータセットの中の少なくとも１つのパラメータが付随する。
【０１１６】
受信された、これらのパラメータのお陰で、システム３は、そのユーザに合わせて個人化されて、適応させられた自発的コンテンツを選択することを可能にする、そのユーザと関係するパラメータを定義する、または更新することができる。
【０１１７】
次に、システム３は、ステップ５３で、ユーザに合わせて個人化されて、適応させられた少なくとも１つの自発的コンテンツを選択し、ステップ５５で、選択された（１つまたは複数の）自発的コンテンツを端末装置５に送信する。
【０１１８】
したがって、この種の方法を使用して、システム３によって端末装置５に送信される自発的コンテンツは、そのユーザの端末装置の例示的な特定の特性を考慮に入れながら、端末装置５のユーザのニーズおよび関心に最もよく応えるように定期的に適応させられることが理解されよう。
【０１１９】
図４に関連して、本発明による、自発的コンテンツを配信するパラメータセットを管理するための方法を実施するための端末装置および遠隔システム、自発的コンテンツを配信するための方法、ならびに自発的コンテンツを供給するための方法の実施例（限定としてではなく、例示として与えられる）が、以下に提示される。
【０１２０】
図４で見ることができるとおり、端末装置５は、有利には、少なくとも１つのメイン管理手段７を備える。
【０１２１】
好ましくは、そのようなメイン管理手段７は、端末装置５の電源投入に関する情報をシステム３に送信して、端末装置５が自発的コンテンツを受信する準備ができていることをシステム３に知らせることに適している。
【０１２２】
システム３は、適切には、端末装置５に関するその電源投入情報を受信し、さらに交換をセキュリティで保護するために、端末装置５に関する認証手順をセットアップするための少なくとも１つの処理手段を備える。
【０１２３】
認証が終わり、確認されると、端末装置５は、自発的コンテンツを受信する準備ができている。
【０１２４】
本発明による、ステップ２３から３１を含む、自発的コンテンツを配信するためのパラメータセットを管理するための方法を実施するために、そのメイン管理手段７は、そのパラメータセットを記憶することができる。
【０１２５】
さらに、そのメイン管理手段７は、有利には、例えば、アプリケーションプログラミングインタフェース（ＡＰＩ）を使用することによって、ステップ２３で、ユーザにコンテンツを提供することができる端末装置５の少なくとも１つの読み取り手段９に接続される。
【０１２６】
適切には、メイン管理手段７は、以下を行うことができる少なくとも１つの対話管理手段１１にも接続される：
−  ステップ２５で、例えば、ユーザの新たな関心を見出すために、ユーザが、ユーザの端末装置上で、配信されたコンテンツに好意的な反応を生じるか、そうではないかを検出し、
−  その反応を表すパラメータに変換し、さらに
−  そのような表すパラメータをメイン管理手段７に送信する。
【０１２７】
ユーザ側の反応が検出されると、メイン管理手段７は、次に、以下を行うことができる：
−  配信されたコンテンツに少なくとも１つのコンテキストパラメータを関連付け、
−  ステップ２７で、ユーザの反応を表すパラメータ、および配信されたコンテンツに関連付けられた少なくとも１つのコンテキストパラメータを、自発的コンテンツを配信するパラメータセットの中に記憶して、例えば、ユーザの見出された関心に自発的コンテンツを適応させるようにし、
−  ステップ３１で、ユーザの反応に関する定量的情報を生成し、これらの情報を活動レポートの形態で要約し、さらに
−  端末装置５の活動レポートをシステム３に、例えば、定期的に送信する。
【０１２８】
さらに、有利には、メイン管理手段７は、ステップ２９で、少なくとも１つの選択された自発的コンテンツを配信するスケジュールをセットアップして、そのコンテンツを配信すべき少なくとも１つの適切な時点を決定することができる少なくとも１つのスケジューリング手段１３に接続される。
【０１２９】
さらに、本発明による、ステップ３５から４９を含む、自発的コンテンツを配信するための方法を実施するために、スケジューリング手段１３は、ステップ３５で、自発的コンテンツを配信すべき時点を識別することができる。
【０１３０】
変形として、メイン管理手段７は、自発的コンテンツを配信すべき時点を識別するために、端末装置５の活動、例えば、ハードウェア活動またはソフトウェア活動を監視することができる少なくとも１つの監視手段１５に接続される。
【０１３１】
好ましくは、監視手段１５は、端末装置５の電源投入を監視することに適している。その場合、有利には、端末装置５は、事前定義された期間にわたって、好ましくは、休息期間にわたって、自発的コンテンツを配信するための時点を識別することを阻止することができる少なくとも１つの処理手段（図示せず）を備える。
【０１３２】
或る変形の実施形態として、監視手段１５は、端末装置５の遠隔通信活動を監視することができる。
【０１３３】
代替として、そのような監視手段１５は、例えば、端末装置５の地理的位置に関する情報、あるいはさらに言えば時間的情報を送信することができる、少なくとも１つの組み込み型センサまたは外部センサを備えることが可能である。
【０１３４】
もちろん、そのような監視手段１５は、自発的コンテンツの配信を検出することに適していることも可能である。
【０１３５】
適切には、スケジューリング手段１３および監視手段１５は、自発的コンテンツを配信すべき時点の識別に関する情報を、例えば、スロット利用可能性イベントの形態で、メイン管理手段７に送信することに適している。
【０１３６】
或る時点の識別が、スケジューリングに基づいて決定されると、スケジューリング手段は、自発的コンテンツを配信すべき時点の事前識別に関するそのような情報を送信することができる。
【０１３７】
有利には、管理手段７は、以下を行う能力を有する：
−  自発的コンテンツを配信すべき時点の識別に関するそのような情報を受信し、さらに
−  少なくとも１つの自発的コンテンツが記録されているかどうかを確認する。
【０１３８】
少なくとも１つの自発的コンテンツが記録されている場合、メイン管理手段７は、次に、以下を行うことができる：
−  自発的コンテンツ選択要求を送信し、そのような要求は、ユーザに適応させられた自発的コンテンツを選択するために有用である、自発的コンテンツを配信するためのパラメータセットの中の少なくとも１つ、またはいくつかのパラメータを備えることが可能である、さらに
−  選択されたコンテンツの配信を求める要求を送信する。
【０１３９】
有利には、メイン管理手段７は、自発的コンテンツを求める選択要求を受信することができ、さらにステップ３７で、例えば、端末装置５の記憶手段１９の中に記録されている自発的コンテンツの中から利用可能な自発的コンテンツを選択することができる選択手段１７に接続される。
【０１４０】
他方、記録された自発的コンテンツが全く存在しない場合、メイン管理手段７は、以下を行うことができる：
−  システム３に向けられた、自発的コンテンツを配信すべき時点の識別に関する情報を、例えば、スロット利用可能性イベントの形態でステップ３６へ送信し、さらに自発的コンテンツを選択することに役立つ、自発的コンテンツを配信するためのパラメータセットの中の少なくとも１つのパラメータを送信し、さらに
−  ステップ３８で、システム３によって送信された自発的コンテンツを受信する。
【０１４１】
さらに、読み取り手段９は、以下に適している：
−  自発的コンテンツを配信する要求を受信すること、および
−  ステップ４１で、ステップ３７で選択された、またはステップ３８で受信された利用可能なコンテンツを配信すること。
【０１４２】
さらに、自発的コンテンツが配信されると、対話管理手段１１は、以下を行うことができる：
−  配信された自発的コンテンツとのユーザの対話を検出し、
−  ユーザ対話に関する情報を生成して、メイン管理手段７に送信する。
【０１４３】
好ましくは、管理手段７は、以下を行う能力を有する：
−  ユーザ対話に関するそのような情報を受信して、システム３に送信し、
−  システム３によって送ら送信された、着信するさらなるデータの存在に関する情報を受信し、さらに
−  ユーザからの情報を求める要求を送信する。
【０１４４】
この目的で、メイン管理手段７は、システム３によって送信された着信する補足的なデータ項目を検出すること、および着信する補足的なデータ項目の存在に関する情報をメイン管理手段７に送信することができる少なくとも１つの検出手段２１に接続される。
【０１４５】
有利には、読み取り手段９は、以下を行う能力を有する：
−  ユーザからの情報を求める要求を受信し、さらに
−  着信する補足的なデータ項目についてユーザに知らせる。
【０１４６】
その場合、端末装置５が、そのような着信する補足的なデータ項目の受信を承認する、または拒否する少なくとも１つの処理手段を備えるように規定されることが可能である。
【０１４７】
さらに、ステップ５１から５５を含む、本発明によるネットワーク１を介して自発的コンテンツを送信するための方法を実施する目的で、システム３は、好ましい実施形態によれば、以下を受信する少なくとも１つの処理手段を備える：
−  端末装置５によって、例えば、スロット利用可能性イベントの形態で送信された、自発的コンテンツを配信すべき時点の識別に関する情報、および
−  端末装置５の所与のユーザに適応させられた自発的コンテンツを選択するのに適した、自発的コンテンツを配信するためのパラメータセットの中の少なくとも１つのパラメータ。
【０１４８】
この目的で、システム３が、そのユーザに関する受信されたパラメータが記憶されるパラメータ管理モジュールを備えるように規定されることが可能である。その場合、システム３は、有利には、端末装置５とパラメータ管理モジュールの間の通信インタフェースを備える。
【０１４９】
有利には、システム３は、ユーザに適応させられた、少なくとも１つの個人化された自発的コンテンツを、受信されたパラメータに基づいて選択する少なくとも１つの処理手段を備える。
【０１５０】
変形として、ユーザに適応させられた、少なくとも１つの個人化された自発的コンテンツを、そのユーザと関係するパラメータに基づいて選択することができるサービスプラットフォームが提供されることが可能である。その場合、システムは、有利には、パラメータ管理モジュールとサービスプラットフォームの間の通信インタフェースを備える。
【０１５１】
好ましくは、システム３は、選択された自発的コンテンツを端末装置５に送信する少なくとも１つの処理手段を備える。
【０１５２】
したがって、所与のユーザに自発的コンテンツを配信するパラメータセットは、その時点でユーザの最新の関心に関してユーザに常に最もよく合うように絶えず進化して、個人化されて、特に適応させられた自発的コンテンツを選択して、有利な時点でユーザに提示することを可能にすることが理解されよう。
【図１】
2011523274.tif 000003
【図２ａ】
2011523274.tif 000004
【図２ｂ】
2011523274.tif 000005
【図３】
2011523274.tif 000006
【図４】
2011523274.tif 000007
【国際調査報告】
2011523274.tif 000008
2011523274.tif 000009
2011523274.tif 000010
2011523274.tif 000011